(57)【要約】【課題】ハンドルバーの外周面及びスロットルパイプの内周面の加工精度を高めることなく、スロットルパイプに対する操作性を維持しつつ径方向のガタを防止することができるスロットルグリップ装置を提供する。【解決手段】スロットルグリップと共にハンドルバーＨの外周面に沿って回転自在なスロットルパイプ１と、スロットルパイプ１の回転角を検出する角度センサ１０と、角度センサ１０を収容しつつハンドルバーＨにおけるスロットルパイプ１基端側に固定されたケース２とを具備し、角度センサ１０で検出されたスロットルパイプ１の回転角に基づき車両のエンジンが制御されるスロットルグリップ装置において、スロットルパイプ１に対して径方向に付勢力を付与する組み付けバネ１１を具備するとともに、組み付けバネ１１の付勢力でスロットルパイプ１を径方向へ寄せてハンドルバーＨと当接させるものである。【選択図】図１０
2010053729.tif 000002
【特許請求の範囲】
【請求項１】
車両のハンドルバー先端に取り付けられるスロットルグリップの内周面に固着され、当該スロットルグリップと共に当該ハンドルバーの外周面に沿って回転自在なスロットルパイプと、
該スロットルパイプの回転角を検出する検出手段と、
該検出手段を収容しつつ前記ハンドルバーにおける前記スロットルパイプ基端側に固定されたケースと、
を具備し、前記検出手段で検出された前記スロットルパイプの回転角に基づき車両のエンジンが制御されるスロットルグリップ装置において、
前記スロットルパイプに対して径方向に付勢力を付与する付勢手段を具備するとともに、当該付勢手段の付勢力で前記スロットルパイプを径方向へ寄せて前記ハンドルパイプと当接させることを特徴とするスロットルグリップ装置。
【請求項２】
前記付勢手段は、先端が前記ケースの内周面にて押圧されて前記スロットルパイプに対して付勢力を付与させる組み付けバネから成ることを特徴とする請求項１記載のスロットルグリップ装置。
【請求項３】
前記ケースは、一対の半割り部材で構成され、当該半割り部材で前記ハンドルバーを挟持させつつ締め上げることにより当該ケースが当該ハンドルバーに固定されるとともに、その固定状態で前記組み付けバネの先端が当該ケースの内周面にて押圧されて前記スロットルパイプに対して付勢力を付与し得ることを特徴とする請求項２記載のスロットルグリップ装置。
【発明の詳細な説明】
【技術分野】
【０００１】
本発明は、スロットルグリップの回転角度に基づいて車両のエンジンが制御されるスロットルグリップ装置に関するものである。
【背景技術】
【０００２】
近時の二輪車においては、スロットルグリップの回転角度をポテンションメータ等のスロットル開度センサにて検出し、その検出値を電気信号として当該二輪車が搭載する電子制御装置等に送るよう構成されたものが普及されるに至っている。そして、かかる検出信号に基づき電子制御装置が所定の演算を行い、その演算結果に基づいてエンジンの点火時期或いは排気バルブの開閉が制御されるようになっている。
【０００３】
例えば、特許文献１には、上記構成のスロットルグリップ装置が開示されている。かかるスロットルグリップ装置は、スロットルグリップの内周面に固着されて当該スロットルグリップと共にハンドルバーの外周面に沿って回転するスロットルパイプと、該スロットルパイプの回転角を検出するための角度センサと、ハンドルバーにおけるスロットルグリップの基端側に固定されて角度センサを収容するケースとから主に構成されていた。
【特許文献１】特開２００５−４１２５９号公報
【発明の開示】
【発明が解決しようとする課題】
【０００４】
しかしながら、上記従来のスロットルグリップ装置においては、スロットルパイプの内周面とハンドルバーの外周面との間にクリアランスが形成されるため、当該スロットルパイプが径方向に対してガタを生じてしまうという問題があった。即ち、ハンドルバーの外周面に沿ってスロットルパイプを回転させる構成であるため、当該ハンドルバーの外周面とスロットルパイプの内周面との間には、少なくとも回転のためのクリアランスが必要であるが、かかるクリアランスによりガタが生じてしまうのである。
【０００５】
一方、ハンドルバーの外周面全域に亘ってスロットルパイプの内周面を当接させてクリアランスをなくした場合、スロットルパイプの回転をスムーズに行わせることができず、操作性が悪化してしまう不具合がある。然るに、ハンドルバーの外周面とスロットルパイプの内周面との間のクリアランスを極めて微小に設定すれば、操作性を維持しつつガタを抑制することができるのであるが、その場合、ハンドルバーの外周面及びスロットルパイプの内周面の加工精度を極めて高くする必要があり、製造コストが嵩んでしまう。
【０００６】
本発明は、このような事情に鑑みてなされたもので、ハンドルバーの外周面及びスロットルパイプの内周面の加工精度を高めることなく、スロットルパイプに対する操作性を維持しつつ径方向のガタを防止することができるスロットルグリップ装置を提供することにある。
【課題を解決するための手段】
【０００７】
請求項１記載の発明は、車両のハンドルバー先端に取り付けられるスロットルグリップの内周面に固着され、当該スロットルグリップと共に当該ハンドルバーの外周面に沿って回転自在なスロットルパイプと、該スロットルパイプの回転角を検出する検出手段と、該検出手段を収容しつつ前記ハンドルバーにおける前記スロットルパイプ基端側に固定されたケースとを具備し、前記検出手段で検出された前記スロットルパイプの回転角に基づき車両のエンジンが制御されるスロットルグリップ装置において、前記スロットルパイプに対して径方向に付勢力を付与する付勢手段を具備するとともに、当該付勢手段の付勢力で前記スロットルパイプを径方向へ寄せて前記ハンドルバーと当接させることを特徴とする。
【０００８】
請求項２記載の発明は、請求項１記載のスロットルグリップ装置において、前記付勢手段は、先端が前記ケースの内周面にて押圧されて前記スロットルパイプに対して付勢力を付与させる組み付けバネから成ることを特徴とする。
【０００９】
請求項３記載の発明は、請求項２記載のスロットルグリップ装置において、前記ケースは、一対の半割り部材で構成され、当該半割り部材で前記ハンドルバーを挟持させつつ締め上げることにより当該ケースが当該ハンドルバーに固定されるとともに、その固定状態で前記組み付けバネの先端が当該ケースの内周面にて押圧されて前記スロットルパイプに対して付勢力を付与し得ることを特徴とする。
【発明の効果】
【００１０】
請求項１の発明によれば、スロットルパイプに対して径方向に付勢力を付与する付勢手段を具備するとともに、当該付勢手段の付勢力でスロットルパイプを径方向へ寄せてハンドルバーと当接させるので、ハンドルバーの外周面及びスロットルパイプの内周面の加工精度を高めることなく、スロットルパイプに対する操作性を維持しつつ径方向のガタを防止することができる。
【００１１】
請求項２の発明によれば、付勢手段は、先端がケースの内周面にて押圧されてスロットルパイプに対して付勢力を付与させる組み付けバネから成るので、簡単な構成で確実にスロットルパイプの径方向のガタを防止することができる。
【００１２】
請求項３の発明によれば、ケースは、一対の半割り部材で構成され、当該半割り部材でハンドルバーを挟持させつつ締め上げることにより当該ケースがハンドルバーに固定されるとともに、その固定状態で組み付けバネの先端が当該ケースの内周面にて押圧されてスロットルパイプに対して付勢力を付与し得るので、ケースのハンドルバーに対する固定前は組み付けバネによるスロットルパイプに対する付勢力は付与されず、スロットルグリップ装置の組み付け性を向上させることができる。
【発明を実施するための最良の形態】
【００１３】
以下、本発明の実施形態について図面を参照しながら具体的に説明する。
本実施形態に係るスロットルグリップ装置は、二輪車のハンドルバーに取り付けられたスロットルグリップの回転角度を検出し、その検出信号を二輪車が搭載するＥＣＵ等電子制御装置に送るためのもので、図１〜図８に示すように、スロットルパイプ１と、検出手段としての角度センサ１０と、ケース２と、リターンスプリング４と、付勢手段としての組み付けバネ１１とから主に構成されている。
【００１４】
スロットルパイプ１は、円筒状に形成された樹脂製部材から成り、二輪車（車両）のハンドルバーＨの先端に取り付けられるスロットルグリップＧの内周面に固着され、当該ハンドルバーＨの外周面に沿ってスロットルグリップＧと共に回転自在なものである。即ち、運転者がスロットルグリップＧを把持しつつハンドルバーＨの周方向へ回転操作するのに伴い、その内周面に固着されたスロットルパイプ１もハンドルバーＨの外周側で同一角度だけ回転し得るようになっているのである。
【００１５】
スロットルパイプ１の外周面には、その周方向にギア１ｂ（歯面形状）が一体的に形成されるとともに、当該ギア１ｂと噛み合って回転する従動ギア５、６が小ケース３ａ内に配設されている。これら従動ギア５、６は、ギア１ｂに比べて径が１／２程度とされており、スロットルパイプ１が回転すると、その倍の回転角だけそれぞれ回転し得るよう構成されている。尚、スロットルパイプ１は、小ケース３ａ（充填ケース３ｂに対しても同様）に対して回転自在とされている。
【００１６】
これら従動ギア５、６は、図４、６に示すように、略同一形状の歯車が上下に２つ形成されたもの（従動ギア５においては、従動ギア５ａ、５ｂであり、従動ギア６においても同様である。）から成り、それぞれが捩りバネ７、８にて所定方向に付勢されている。これにより、従動ギア５、６が所謂シザーズギアを構成しており、各従動ギア５、６がギア１ｂに噛み合った際のバックラッシを抑制している。
【００１７】
従動ギア５、６は、図６、８に示すように、小ケース３ａに形成された中心軸Ｌ１、Ｌ２を中心に回転自在とされているとともに、それぞれ磁石Ｍａ、Ｍｂが形成されている。即ち、スロットルパイプ１が回転するのに伴い従動ギア５、６が中心軸Ｌ１、Ｌ２を中心に回転すると、磁石Ｍａ、ＭｂもそれぞれＬ１、Ｌ２を中心に所定角度だけ回転するよう構成されているのである。
【００１８】
また、小ケース３ａに隣接した位置（スロットルパイプ１の基端側に位置する部位）には、樹脂にて充填される充填ケース３ｂが配設されている。かかる充填ケース３ｂには、基板９が収容されているとともに、当該基板９には、検出手段としての角度センサ１０が形成されている。この角度センサ１０は、上述した従動ギア５、６に対応した位置（中心軸Ｌ１、Ｌ２の延長線上の位置）に配設されており、これら従動ギア５、６の回転角を検出し得るよう構成されている。
【００１９】
即ち、スロットルグリップＧ及びスロットルパイプ１の回転に伴い従動ギア５、６と共に磁石Ｍａ、Ｍｂが回転すると、それら磁石Ｍａ、Ｍｂから生じる磁界の変化により角度センサ１０の出力信号が増減するので、その出力信号に基づいてスロットルグリップ１の回転角度を検出し得るようになっている。かかる検出信号は、基板９から延出されたコードｈを介して二輪車が具備するＥＣＵに送られ、当該検出信号に基づいたエンジンの制御（スロットルグリップＧ及びスロットルパイプ１の回転角度に基づいた出力制御）が行われる。尚、図中符号Ｃは、コードｈ先端に形成されたコネクタを示している。
【００２０】
例えば、図１２に示すように、それぞれの角度センサ１０から２つの出力信号（検出信号ＯＵＴ１と検出信号ＯＵＴ３、及び検出信号ＯＵＴ２と検出信号ＯＵＴ４）を出力させるよう構成するのが好ましい。この場合、検出信号ＯＵＴ１とＯＵＴ３、及びＯＵＴ２とＯＵＴ４とが２重信号系を構成しており、出力電圧が互いに逆向きに変化するよう構成されている。これにより、一方の角度センサ１０或いは配線が壊れたとき、その角度センサ１０からの出力電圧はダウンして出力信号の和が異なってくるので、当該一方の角度センサ１０又は配線に不具合があることが認識できる。この場合であっても、他方の角度センサ１０による出力に基づき各種制御が行われ、安全を確保することができる。
【００２１】
本スロットルグリップ装置によれば、角度センサ１０によりスロットルグリップＧ及びスロットルパイプ１の回転角を非接触にて検出することができるので、機械的機構を有するものに比べ、装置の耐久性を向上させることができる。また、角度センサ１０が充填ケース３ｂに収容されて樹脂にてモールドされているので、当該角度センサ１０に対する防水効果を向上させることができる。尚、磁石Ｍａ、Ｍｂは、永久磁石であっても、他の磁界を生じ得るもの（例えばプラスチック磁石等）であってもよい。
【００２２】
一方、ケース２は、角度センサ１０を収容しつつハンドルバーＨにおけるスロットルパイプ１の基端側（図１中左端側）に固定されたものである。具体的には、ケース２は、図９、１０に示すように、一対の半割り部材２ａ、２ｂで構成され、それぞれの半割り部材にはハンドルバーＨの外周面に倣った円弧形状の縁部２ａａ、２ｂａが形成されており、当該縁部２ａａ、２ｂａをハンドルバーＨの外周面に当接させつつボルトＢ（図１参照）で締め上げることにより、ケース２が当該ハンドルバーＨに固定されるようになっている。而して、ケース２は、縁部２ａａ、２ｂａでのみハンドルバーＨと当接しており、他の部位では当接しない構成とされている。
【００２３】
本実施形態においては、従動ギア５、６等が配設された小ケース３ａと、基板９及び角度センサ１０等が配設されつつ樹脂が充填された充填ケース３ｂとがスロットルパイプ１の基端側に配設されており、これら小ケース３ａ及び充填ケース３ｂを覆う如くケース２がハンドルバーＨに固定されている。即ち、ケース２には、スロットルパイプ１の基端側が配設されるとともに、小ケース３ａ及び充填ケース３ｂが収容されているのである。
【００２４】
小ケース３ａには、図２、３に示すように、基端１１ｂを小ケース３ａに当接させた捩りバネから成る組み付けバネ１１（付勢手段）が形成されており、かかる組み付けバネ１１の先端１１ａ側がケース２の内周面にて押圧され得るようになっている。これにより、小ケース３ａを介してスロットルパイプ１に対して組み付けバネ１１の付勢力が付与されることとなり、当該スロットルパイプ１とハンドルバーＨとの間のガタを吸収することができる。
【００２５】
即ち、ハンドルバーＨの外周面に沿ってスロットルパイプ１を回転させるため、これらハンドルバーＨの外周面とスロットルパイプ１の内周面との間にはクリアランスが形成されるのであるが、かかるクリアランスによりガタが生じてしまう。而して、本実施形態においては、図１１に示すように、組み付けバネ１１の付勢力（同図中矢印で示す弾力）でスロットルパイプ１を径方向へ寄せてハンドルバーＨと部位Ｔにて当接させることによりガタを防止しているのである。
【００２６】
スロットルパイプ１とハンドルバーＨとが当接する部位Ｔは、それぞれの長手方向に直線状に延びる部位であるため、ハンドルバーＨの外周面全域にスロットルパイプ１の内周面を当接させるものに比べ、ハンドルバーＨの外周面及びスロットルパイプ１の内周面の加工精度を高めることなく、スロットルパイプ１に対する操作性を維持しつつ径方向のガタを防止することができる。尚、スロットルパイプ１のハンドルバーＨに対する当接力は、組み付けバネ１１の弾力であるため、回転時に大きな負荷を生じさせることはなく、操作性にあまり影響を与えないものとされている。
【００２７】
リターンスプリング４は、図１０に示すように、一端４ａがスロットルパイプ１の基端側に係止されるとともに他端４ｂがケース２に形成された係止部２ａｂに係止された捩りバネから成るものであり、スロットルパイプ１を常時戻し側（初期位置に戻す方向）に付勢するものである。ここで、本実施形態においては、図４に示すように、スロットルパイプ１の基端側の内周面にリターンスプリング４を収容する収容部Ａが形成されている。かかる収容部Ａは、スロットルパイプ１の基端側を外側（外径方向）へ膨出させて径方向に段差１ａａ（図４、６参照）を形成しつつ拡径させた拡径部位１ａから成る。この拡径部位１ａは、スロットルパイプ１の基端側の開口端部を成しており、本実施形態においては、ギア１ｂと隣接した部位に形成されている。
【００２８】
このように、スロットルパイプ１の内周面にリターンスプリング４を収容する収容部Ａが形成されたので、当該リターンスプリング４を収容するための別個の収容部材等を不要とすることができ、装置構成を簡素化することができる。また、リターンスプリング４の収容部Ａがスロットルパイプ１の内周面に形成されているので、外周面側にリターンスプリングが形成されたものに比べてもスロットルグリップ装置の小型化を図ることができる。
【００２９】
上記実施形態によれば、スロットルパイプ１に対して径方向に付勢力を付与する組み付けバネ１１（付勢手段）を具備するとともに、当該組み付けバネ１１の付勢力でスロットルパイプ１を径方向へ寄せてハンドルバーＨと当接させるので、ハンドルバーＨの外周面及びスロットルパイプ１の内周面の加工精度を高めることなく、スロットルパイプ１に対する操作性を維持しつつ径方向のガタを防止することができる。
【００３０】
また、本発明を構成する付勢手段は、先端１１ａがケース２の内周面にて押圧されてスロットルパイプ１に対して付勢力を付与させる組み付けバネ１１から成るので、他の弾性部材を用いたものに比べ、簡単な構成で確実にスロットルパイプ１の径方向のガタを防止することができる。更に、ケース２は、一対の半割り部材２ａ、２ｂで構成され、当該半割り部材２ａ、２ｂでハンドルバーＨを挟持させつつ締め上げることにより当該ケース２がハンドルバーＨに固定されるとともに、その固定状態で組み付けバネ１１の先端１１ａが当該ケース２の内周面にて押圧されてスロットルパイプ１に対して付勢力を付与し得るので、ケース２のハンドルバーＨに対する固定前は組み付けバネ１１によるスロットルパイプ１に対する付勢力は付与されず、スロットルグリップ装置の組み付け性を向上させることができる。
【００３１】
以上、本実施形態について説明したが、本発明はこれに限定されるものではなく、例えばスロットルグリップの回転角を電気的に検知してスロットル開度を制御するものであれば、他の形態のものにも適用することができる。即ち、スロットルパイプの回転角を検出するものであれば、角度センサ１０に代えて、従来の如くポテンショメーターを用いたものにおいても適用することができるのである。
【００３２】
また、本実施形態においては、組み付けバネ１１にてスロットルパイプ１に対して径方向に付勢力を付与するよう構成されているが、当該組み付けバネ１１に代えて、他の付勢手段（例えばコイルスプリング等）にてスロットルパイプ１に対して径方向に付勢力を付与するよう構成してもよい。更に、本実施形態においては、スロットルパイプ１の基端側を外側へ膨出させて径方向に段差１ａａを形成しつつ拡径させた拡径部位１ａにてリターンスプリング４を収容しているが、例えば、スロットルパイプ１の外周面側にてリターンスプリング４を配設してもよい。また、本実施形態においては、二輪車のハンドルバーに取り付けられたものとされているが、ハンドルバーを有する他の車両（例えばＡＴＶやスノーモービル等）に取り付けるようにしてもよい。
【産業上の利用可能性】
【００３３】
スロットルパイプに対して径方向に付勢力を付与する付勢手段を具備するとともに、当該付勢手段の付勢力でスロットルパイプを径方向へ寄せてハンドルパイプと当接させるスロットルグリップ装置であれば、外観形状が異なるもの或いは他の機能が付加されたものにも適用することができる。
【図面の簡単な説明】
【００３４】
【図１】本発明の実施形態に係るスロットルグリップ装置を示す外観図
【図２】同スロットルグリップ装置における小ケース及び充填ケースに組みつけられたスロットルパイプを示す正面模式図
【図３】同スロットルグリップ装置における小ケース及び充填ケースに組みつけられたスロットルパイプを示す左側面模式図
【図４】図３におけるＩＶ−ＩＶ線断面図
【図５】図４におけるＶ−Ｖ線断面図
【図６】図３におけるＶＩ−ＶＩ線断面図
【図７】図６におけるＶＩＩ−ＶＩＩ線断面図
【図８】図６におけるＶＩＩＩ−ＶＩＩＩ線断面図
【図９】同スロットルグリップ装置におけるハンドルバーに固定されたケースを示す外観模式図
【図１０】同スロットルグリップ装置におけるハンドルバーに固定されたケースを示す断面模式図
【図１１】同スロットルグリップ装置における組み付けバネにより付勢されたスロットルパイプを示し、ハンドルバーの外周面と当接した状態を示す断面模式図
【図１２】同スロットルグリップ装置における検出手段としての角度センサの出力電圧を示すグラフ
【符号の説明】
【００３５】
１    スロットルパイプ
１ａ  拡径部位
１ａａ  段差
１ｂ  ギア
２    ケース
３ａ  小ケース
３ｂ  充填ケース
４    リターンスプリング
５、６  従動ギア
７、８  捩りバネ
９    基板
１０  角度センサ（検出手段）
１１  組み付けバネ（付勢手段）
Ａ    収容部
Ｇ    スロットルグリップ
Ｈ    ハンドルバー
【図１】
2010053729.tif 000003
【図２】
2010053729.tif 000004
【図３】
2010053729.tif 000005
【図４】
2010053729.tif 000006
【図５】
2010053729.tif 000007
【図６】
2010053729.tif 000008
【図７】
2010053729.tif 000009
【図８】
2010053729.tif 000010
【図９】
2010053729.tif 000011
【図１０】
2010053729.tif 000012
【図１１】
2010053729.tif 000013
【図１２】
2010053729.tif 000014